【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
患者の骨盤に接合するのに適した寛骨臼陥凹組立体と、患者の大腿部に接合するのに適した大腿幹部であって、該寛骨臼陥凹組立体の内部に収受された近位端部に、球継手型連結体を形成するための球部材を備えた大腿幹部とを含む、股関節置換人工補装具に適用される人工補装具拘束装置であって、該拘束装置は、
中心開口部を有する環状体を具備し、該大腿幹部が中心開口部を貫通するように、該環状体が該寛骨臼陥凹組立体の周縁へ装着させるのに適し、該環状体が該寛骨臼陥凹組立体と該大腿幹部の相互間での球継手型連結体の保持を助けるように、該中心開口部が該大腿幹部の近位端部上の球部材に比べて小さい直径を有し、
該環状体が、ブタ小腸粘膜下組織（ＳＩＳ）、異種小腸粘膜下組織（ｘＳＩＳ）、膀胱粘膜下組織（ＵＢＳ）、積層腸粘膜下組織、およびグルタルアルデヒド処理ウシ心膜（ＧＬＢＰ）のうちの少なくとも１種を含む、人工補装具拘束装置。
【請求項２】
患者の骨盤に接合するのに適した寛骨臼陥凹組立体と、患者の大腿部に接合するのに適した大腿幹部であって、該寛骨臼陥凹組立体の内部に収受された近位端部に、球継手型連結体を形成するための球部材を備えた大腿幹部とを含む、股関節置換人工補装具に適用される人工補装具拘束装置であって、該拘束装置は、
中心開口部を有する環状体を具備し、該大腿幹部が中心開口部を貫通するように、該環状体が該寛骨臼陥凹組立体の周縁へ装着させるのに適し、該環状体が該寛骨臼陥凹組立体と該大腿幹部の相互間での球継手型連結体の保持を助けるように、該中心開口部が該大腿幹部の近位端部上の球部材に比べて小さい直径を有し、
該環状体が、該大腿幹部の角運動範囲を増大させるために、該環状体に半径方向に延びる少なくとも第一凹部を備えた遠位面を含む、人工補装具拘束装置。
【請求項３】
前記環状体を寛骨臼陥凹組立体に装着した場合、前記第一凹部が該環状体の前方／上部領域と後方／上部領域のうちの少なくとも一方に位置する、請求項第２項に記載の人工補装具拘束装置。
【請求項４】
前記環状体の遠位面が、少なくとも二つの方向で前記大腿幹部の角運動範囲を増大させるために、該環状体に半径方向に延びる少なくとも第二凹部を有する、請求項第３項に記載の人工補装具拘束装置。
【請求項５】
前記環状体を前記寛骨臼陥凹組立体に装着した場合、前記第一凹部が環状体の前方／上部領域に位置し、前記第二凹部が環状体の後方／上部領域に位置する、請求項第４項に記載の人工補装具拘束装置。
【請求項６】
前記開口部が略ドーム型の内面を含み、該内面が前記環状体の近位面からの距離に従って狭窄した直径を有する、請求項第５項に記載の人工補装具拘束装置。
【請求項７】
前記第一凹部の円周幅が、前記大腿幹部の頚部の直径よりも少なくとも僅かに大きい、請求項第２項に記載の人工器官拘束装置。
【請求項８】
前記環状体の遠位面が更に隆起部を含み、隆起部の半径方向において前記大腿幹部の角運動を減少させる、請求項第２項に記載の人工補装具拘束装置。
【請求項９】
前記拘束装置を前記寛骨臼陥凹組立体に装着した場合、前記隆起部が前記環状体の後方領域に位置する、請求項第８項に記載の人工補装具拘束装置。
【請求項１０】
前記開口部が略ドーム型の内面を含み、該内面が前記環状体の近位面からの距離に従って狭窄した直径を有する、請求項第２項に記載の人工補装具拘束装置。
【請求項１１】
患者の骨盤に接合するのに適した寛骨臼陥凹組立体と、患者の大腿部に接合するのに適した大腿幹部であって、該寛骨臼陥凹組立体の内部に収受された近位端部に、球継手型連結体を形成するための球部材を備えた大腿幹部とを含む、股関節置換人工補装具に適用される人工補装具拘束装置であって、該拘束装置は、
中心開口部を有する環状体を具備し、該大腿幹部が中心開口部を貫通するように、該環状体が該寛骨臼陥凹組立体の周縁へ装着させるのに適し、該環状体が該寛骨臼陥凹組立体と該大腿幹部の相互間での球継手型連結体の保持を助けるように、該中心開口部が該大腿幹部の近位端部上の球部材に比べて小さい直径を有し、
該環状体が、生物学的物質、生物学的再吸収性物質、および、生物学的物質と生物学的再吸収性物質との複合体からなる群から選ばれた１種の環状体物質を含み、
前記環状体物質に、瘢痕組織の形成を促進する薬剤、抗菌剤、増殖刺激因子、骨組織の形成を制限する薬剤、結合組織幹細胞、造血幹細胞、造血幹細胞前駆細胞、および結合組織幹細胞前駆細胞のうちの少なくとも１種が加えられている、
人工補装具拘束装置。
【請求項１２】
前記結合組織幹細胞と結合組織幹細胞前駆細胞が、繊維芽コロニー形成細胞、繊維性コロニー形成単位（ＣＦＵ−Ｆ）、骨髄間質性細胞、間葉幹細胞（ＭＳＣ）および血管周皮組織からなる群から選ばれる、請求項第１１項に記載の人工補装具拘束装置。
【請求項１３】
前記増殖刺激因子が、増殖因子ベータ（ＧＦＢ−b）、塩基性繊維芽細胞増殖因子（ｂＦ
ＧＦ）、繊維芽細胞増殖因子（ＦＧＦ）、上皮増殖因子（ＥＦＧ）、トランスホーミング増殖因子−β１（ＴＧＦ−b１）、血管内皮増殖因子（ＶＥＧＦ）、結合組織増殖因子（
ＣＴＧＦ）、血小板由来増殖因子（ＰＤＧＦ）、直接細胞遺伝子導入、繊維芽仲介遺伝子導入、筋芽仲介遺伝子導入、ＴＧＢ−b細胞遺伝子ファミリー、アデノウイルス仲介遺伝
子導入、組み換えアデノウイルス誘導腱癒着形成、ＢＭＰ−１２、骨形成蛋白質−２遺伝子導入、増殖分化因子−５（ＧＤＦ−５）およびインスリン様増殖因子（ＩＦＧ）からなる群から選ばれる、請求項第１１項に記載の人工補装具拘束装置。
【請求項１４】
患者の骨盤に接合するのに適した寛骨臼陥凹組立体と、患者の大腿部に接合するのに適した大腿幹部であって、該寛骨臼陥凹組立体の内部に収受された近位端部に、球継手型連結体を形成するための球部材を備えた大腿幹部とを含む、股関節置換人工補装具に適用される人工補装具拘束装置であって、該拘束装置は、
中心開口部を有する環状体であって、該大腿幹部が中心開口部を貫通するように、該環状体が該寛骨臼陥凹組立体の周縁へ装着させるのに適し、該環状体が該寛骨臼陥凹組立体と該大腿幹部の相互間での球継手型連結体の保持を助けるように、該中心開口部が該大腿幹部の近位端部上の球部材に比べて小さい直径を有する、環状体；ならびに
前記環状体に作動自在に連結された浮嚢、
を具備し、
該環状体が、生物学的物質、生物学的再吸収性物質、および、生物学的物質と生物学的再吸収性物質との複合体からなる群から選ばれた１種の環状体物質を含む、人工補装具拘束装置。
【請求項１５】
前記浮嚢が多孔質で、かつ、凝固剤、抗生物質および瘢痕組織促進剤の少なくとも１種を含有するのに適している、請求項第１４項に記載の人工補装具拘束装置。
【請求項１６】
前記浮嚢が再吸収自在であり、かつ、凝固剤、抗生物質および瘢痕組織促進剤の少なくとも１種を含有する、請求項第１４項に記載の人工補装具拘束装置。
【請求項１７】
人口股関節補装具であって、以下：
患者の骨盤に接合するのに適した寛骨臼陥凹組立体と、
患者の大腿部に接合するのに適し、該寛骨臼陥凹組立体の内部に収受された近位端部に、球継手型連結体を形成するための球部材を含む大腿幹部と、
中心開口部を有する拘束環状体とを具備し、該大腿幹部が中心開口部を貫通するように、該拘束環状体が該寛骨臼陥凹組立体の周縁に装着され、該環状体が該寛骨臼陥凹組立体と該大腿幹部の相互間での球継手型連結体の保持を助けるように、該中心開口部が該大腿幹部の近位端部上の球部材に比べて小さい直径を有し、
該拘束環状体が、生物学的物質、生物学的再吸収性物質、および、生物学的物質と生物学的再吸収性物質との複合体からなる群から選ばれた１種の環状体物質を含み、
該拘束環状体が、該大腿幹部の角運動範囲を増大させるために、該環状体に半径方向に延びる少なくとも第一凹部を有する遠位面を備える、
人口股関節補装具。
【請求項１８】
前記第一凹部が拘束環状体の前方／上部領域と後方／上部領域の少なくとも一方に位置する、請求項第１７項に記載の人工股関節補装具。
【請求項１９】
前記拘束環状体の遠位面が、少なくとも二つの方向で前記大腿幹部の角運動範囲を増大させるために、該拘束環状体に半径方向に延びる少なくとも第二凹部を有する、請求項第１８項に記載の人工股関節補装具。
【請求項２０】
前記第一凹部が前記拘束環状体の前方／上部領域に位置し、前記第二凹部が該拘束環状体の後方／上部領域に位置する、請求項第１９項に記載の人工股関節補装具。
【請求項２１】
前記開口部が略ドーム型の内面を含み、該内面が拘束環状体の近位面からの距離に従って狭窄した直径を有する、請求項第２０項に記載の人工股関節補装具。
【請求項２２】
人口股関節補装具であって、以下：
患者の骨盤に接合するのに適した寛骨臼陥凹組立体と、
患者の大腿部に接合するのに適し、該寛骨臼陥凹組立体の内部に収受された近位端部に、球継手型連結体を形成するための球部材を含む大腿幹部と、
中心開口部を有する拘束環状体とを具備し、該大腿幹部が中心開口部を貫通するように、該拘束環状体が該寛骨臼陥凹組立体の周縁に装着され、該環状体が該寛骨臼陥凹組立体と該大腿幹部の相互間での球継手型連結体の保持を助けるように、該中心開口部が該大腿幹部の近位端部上の球部材に比べて小さい直径を有し、
該拘束環状体が、生物学的物質、生物学的再吸収性物質、および、生物学的物質と生物学的再吸収性物質との複合体からなる群から選ばれた１種の環状体物質を含み、
該拘束環状体の遠位面が更に隆起部を含み、該隆起部の半径方向において該大腿幹部の角運動を減少させる、
人口股関節補装具。
【請求項２３】
前記隆起部が前記拘束環状体の後方領域に位置する、請求項第２２項に記載の人工股関節補装具。
【請求項２４】
人口股関節補装具であって、以下：
患者の骨盤に接合するのに適した寛骨臼陥凹組立体と、
患者の大腿部に接合するのに適し、該寛骨臼陥凹組立体の内部に収受された近位端部に、球継手型連結体を形成するための球部材を含む大腿幹部と、
中心開口部を有する拘束環状体とを具備し、該大腿幹部が中心開口部を貫通するように、該拘束環状体が該寛骨臼陥凹組立体の周縁に装着され、該環状体が該寛骨臼陥凹組立体と該大腿幹部の相互間での球継手型連結体の保持を助けるように、該中心開口部が該大腿幹部の近位端部上の球部材に比べて小さい直径を有し、
該拘束環状体が、生物学的物質、生物学的再吸収性物質、および、生物学的物質と生物学的再吸収性物質との複合体からなる群から選ばれた１種の環状体物質を含み、
前記環状体物質に、瘢痕組織の形成を促進する薬剤、抗菌剤、増殖刺激因子、骨組織の形成を制限する薬剤、結合組織幹細胞、造血幹細胞、造血幹細胞前駆細胞、および結合組織幹細胞前駆細胞のうちの少なくとも１種が加えられている、
人口股関節補装具。
【請求項２５】
股関節に隣接して移植する人工補装具拘束装置であって、その拘束装置が、大腿部材を延出させる中心開口部を規定する弓状本体を具備し、該弓状本体が、該大腿部材の角運動範囲を増大させるために、弓状本体に半径方向に延びる少なくとも一つの凹部を有する遠位面を含み、かつ、大腿部材の大腿頭部が開口部を遠位方向に完全に通過させないようにするために、寛骨臼人口補装具、寛骨臼骨および無名骨の少なくとも一つに装着するのに適した近位面を備えている、人工補装具拘束装置。
【請求項２６】
前記拘束装置を前記寛骨臼人工補装具、寛骨臼骨および無名骨の一つに装着した場合、前記凹部が、前記弓状本体の前方／上位領域と後方／上位領域の少なくとも一方に位置する、請求項第２５項に記載の拘束装置。
【請求項２７】
前記遠位面が、少なくとも二つの方向で前記大腿部材の角運動範囲を増大させるために、前記拘束装置に半径方向に延びる少なくとも二つの凹部を有する、請求項第２６項に記載の拘束装置。
【請求項２８】
前記拘束装置を前記寛骨臼人工補装具、寛骨臼骨および無名骨の一つに装着した場合、前記第一凹部が前記弓状本体の前方／上位領域に位置し、前記第二凹部が該弓状本体の後方／上位領域に位置する、請求項第２７項に記載の拘束装置。
【請求項２９】
前記弓状本体が略輪状である、請求項第２７項に記載の拘束装置。
【請求項３０】
前記開口部が略ドーム型の内面を含み、該内面が前記拘束環状体の近位面からの距離に従って狭窄した直径を有する、請求項第２９項に記載の拘束装置。
【請求項３１】
前記凹部が、前記弓状本体の遠位面に対して高さを変えた段部を含む、請求項第３０項に記載の拘束装置。
【請求項３２】
前記弓状本体の近位面が前記寛骨臼人工補装部材へ装着するのに適し、該弓状本体を構成する材料組成と寛骨臼人工補装具材が実質的に同じである、請求項第２５項に記載の拘束装置。
【請求項３３】
前記凹部の円周幅が、前記大腿幹部の頚部の直径よりも少なくとも僅かに大きい、請求項第２５項に記載の拘束装置。
【請求項３４】
前記弓状本体の遠位面が更に隆起部を含み、該隆起部の半径方向において前記大腿部材の角運動を減少させる、請求項第２５項に記載の拘束装置。
【請求項３５】
前記拘束装置を前記寛骨臼人工補装具、寛骨臼骨および無名骨の一つに装着した場合、前記隆起部が前記弓状本体の後方領域に位置する、請求項第３４項に記載の拘束装置。
【請求項３６】
前記弓状本体が略輪状である、請求項第２５項に記載の拘束装置。
【請求項３７】
前記開口部が略ドーム型の内面を含み、該内面が前記弓状本体の近位面からの距離に従って狭窄した直径を有する、請求項第２５項に記載の拘束装置。
【請求項３８】
前記弓状本体の近位面が前記寛骨臼人工補装部材へ装着するのに適し、該弓状本体および寛骨臼人工補装具材を構成する材料組成が実質的に同じである、請求項第２５項に記載の拘束装置。
【請求項３９】
人工大腿幹部材と、人口股関節組立体の寛骨臼人工補装部材を少なくとも一時的に係合させた状態で保持する拘束装置であって、その拘束装置が、ブタ小腸粘膜下組織（ＳＩＳ）、異種小腸粘膜下組織（ｘＳＩＳ）、膀胱粘膜下組織（ＵＢＳ）、積層腸粘膜下組織、およびグルタルアルデヒド処理ウシ心膜（ＧＬＢＰ）のうちの少なくとも１種を含む、
拘束装置。
【請求項４０】
人工大腿幹部材と、人口股関節組立体の寛骨臼人工補装部材を少なくとも一時的に係合させた状態で保持する拘束装置であって、その拘束装置が、生物学的物質、生物学的再吸収性物質、および、生物学的物質と生物学的再吸収性物質との複合体からなる群から選ばれた１種の物質を含み、
該物質が、該寛骨臼人工補装部材と該人工大腿幹部材の間に装着させるのに適した網目形状である、
拘束装置。
【請求項４１】
人工大腿幹部材と、人口股関節組立体の寛骨臼人工補装部材を少なくとも一時的に係合させた状態で保持する拘束装置であって、その拘束装置が、生物学的物質、生物学的再吸収性物質、および、生物学的物質と生物学的再吸収性物質との複合体からなる群から選ばれた１種の物質を含み、
該物質が、該寛骨臼人工補装部材と該人工大腿幹部材の間に装着させるのに適したウェブ形状である、
拘束装置。
【請求項４２】
人工大腿幹部材と、人口股関節組立体の寛骨臼人工補装部材を少なくとも一時的に係合させた状態で保持する拘束装置であって、その拘束装置が、生物学的物質、生物学的再吸収性物質、および、生物学的物質と生物学的再吸収性物質との複合体からなる群から選ばれた１種の物質を含み、
該物質が、該寛骨臼人工補装部材と該人工大腿幹部材の間に装着させるのに適した帯形状である、
拘束装置。
【請求項４３】
人工大腿幹部材と、人口股関節組立体の寛骨臼人工補装部材を少なくとも一時的に係合させた状態で保持する拘束装置であって、その拘束装置が、生物学的物質、生物学的再吸収性物質、および、生物学的物質と生物学的再吸収性物質との複合体からなる群から選ばれた１種の物質を含み、
該物質に、抗菌剤および凝固剤が加えられている、
拘束装置。
【請求項４４】
股関節を少なくとも一時的に完全な状態に保持する移植自在な拘束装置であって、該拘束装置は、生物学的物質、生物学的再吸収性物質、および、生物学的物質と生物学的再吸収性物質との複合体からなる群から選ばれた１種の物質を含み、該物質が、該寛骨と該大腿部の間に装着させるのに適した網目形状、該寛骨と該大腿部の間に装着させるのに適したウェブ形状、該寛骨と該大腿部の間に装着させるのに適した帯形状のうちの少なくとも１つであり、該物質に、抗菌剤、凝固剤、瘢痕組織の形成を促進する薬剤、骨組織の形成を制限する薬剤、結合組織幹細胞、結合組織幹細胞前駆細胞、造血幹細胞、造血幹細胞前駆細胞および増殖刺激因子の少なくとも一つが加えられている、拘束装置。
【請求項４５】
前記結合組織幹細胞と結合組織幹細胞前駆細胞が、繊維芽コロニー形成細胞、繊維性コロニー形成単位（ＣＦＵ−Ｆ）、骨髄間質性細胞、間葉幹細胞（ＭＳＣ）および血管周皮組織からなる群から選ばれる、請求項第４４項に記載の人工補装具拘束装置。
【請求項４６】
前記増殖刺激因子が、増殖因子ベータ（ＧＦＢ−b）、塩基性繊維芽細胞増殖因子（ｂＦ
ＧＦ）、繊維芽細胞増殖因子（ＦＧＦ）、上皮増殖因子（ＥＦＧ）トランスホーミング増殖因子−β１（ＴＧＦ−β１）、血管内皮増殖因子（ＶＥＧＦ）、結合組織増殖因子（ＣＴＧＦ）、血小板由来増殖因子（ＰＤＧＦ）、直接細胞遺伝子導入、繊維芽仲介遺伝子導入、筋芽仲介遺伝子導入、ＴＧＢ−b細胞遺伝子ファミリー、アデノウイルス仲介遺伝子
導入、組み換えアデノウイルス誘導腱癒着形成、ＢＭＰ−１２、骨形成蛋白質−２遺伝子導入、増殖分化因子−５（ＧＤＦ−５）およびインスリン様増殖因子（ＩＦＧ）からなる群から選ばれる、請求項第４４項に記載の人工補装具拘束装置。
【請求項４７】
股関節に隣接して移植する拘束装置であって、該拘束装置は、少なくとも１種の生物学的再吸収性物質を含み、かつ、大腿部材を延出させるための開口部を有する板部材を具備し、該板部材が、該大腿部材の角運動範囲を増大させる少なくとも一つの凹部を有する遠位面と、該大腿部材の大腿頭部が開口部を遠位方向に完全に通過させないように抑制するために、寛骨臼人工補装具、寛骨臼骨および無名骨の少なくとも一つに装着するのに適した近位面を含む、拘束装置。
【請求項４８】
前記拘束装置が更に、第一位置にて前記大腿部材に隣接して装着され、かつ、第二位置にて前記寛骨臼人工補装具、寛骨臼骨および無名骨の少なくとも一つに隣接して装着された生物学的再吸収性網目物質を含む、請求項第４７項に記載の拘束装置。
【請求項４９】
前記生物学的再吸収性物質に、凝固剤が加えられている、請求項第４７項に記載の拘束装置。
【請求項５０】
前記生物学的再吸収性物質に、抗生物質が加えられている、請求項第４７項に記載の拘束装置。
【請求項５１】
前記生物学的再吸収性物質に、瘢痕組織の形成を促進する薬剤が加えられている、請求項第４７項に記載の拘束装置。
【請求項５２】
前記生物学的再吸収性物質に、骨組織の形成を制限する薬剤が加えられている、請求項第４７項に記載の拘束装置。
【請求項５３】
前記生物学的再吸収性物質に、結合組織幹細胞と結合組織幹細胞前駆細胞のうちの少なくとも一つが加えられている、請求項第４７項に記載の人工補装具拘束装置。
【請求項５４】
前記結合組織幹細胞と結合組織幹細胞前駆細胞は、繊維芽コロニー形成細胞、繊維性コロニー形成単位（ＣＦＵ−Ｆ）、骨髄間質性細胞、間葉幹細胞（ＭＳＣ）および血管周皮組織からなる群から選ばれる、請求項第５３項に記載の人工器官拘束装置。
【請求項５５】
前記生物学的再吸収性物質に、増殖刺激因子が加えられている、請求項第４７項に記載の人工補装具拘束装置。
【請求項５６】
前記増殖刺激因子が、増殖因子ベータ（ＧＦＢ−b）、塩基性繊維芽細胞増殖因子（ｂＦ
ＧＦ）、繊維芽細胞増殖因子（ＦＧＦ）、上皮増殖因子（ＥＦＧ）、トランスホーミング増殖因子−β１（ＴＧＦ−β１）、血管内皮増殖因子（ＶＥＧＦ）、結合組織増殖因子（ＣＴＧＦ）、血小板由来増殖因子（ＰＤＧＦ）、直接細胞遺伝子導入、繊維芽仲介遺伝子導入、筋芽仲介遺伝子導入、ＴＧＢ−b細胞遺伝子ファミリー、アデノウイルス仲介遺伝
子導入、組み換えアデノウイルス誘導腱癒着形成、ＢＭＰ−１２、骨形成蛋白質−２遺伝子導入、増殖分化因子−５（ＧＤＦ−５）およびインスリン様増殖因子（ＩＦＧ）からなる群から選ばれる、請求項第５５項に記載の人工補装具拘束装置。
【請求項５７】
前記生物学的再吸収性物質に、造血幹細胞と造血幹細胞前駆細胞のうちの少なくとも一方が加えられている、請求項第４７項に記載の人工補装具拘束装置。
【請求項５８】
患者の骨盤に接合された寛骨臼陥凹組立体と、患者の大腿部に接合された大腿幹部であって、該寛骨臼陥凹組立体の内部に収受された近位端部に、球継手型連結体を形成するための球部材を含む大腿幹部とを備えた人工股関節に対して、少なくとも一時的に安定性を付与する方法であって、該方法は、
人工股関節に安定性を付与するために、拘束装置を人工股関節に装着させる工程を包含し、拘束装置が生物学的物質、生物学的再吸収性物質、および、生物学的物質と生物学的再吸収性物質との複合体からなる群から選ばれた１種の物質を含み、
該物質に、瘢痕組織の形成を促進する薬剤、凝固剤および抗菌剤の少なくとも１種を加える、
少なくとも一時的に人工股関節に安定性を付与する方法。
【請求項５９】
前記物質が、装着工程後に患者の体内に実質的に吸収されるのに適し、かつ、瘢痕組織により実質的に交換されるのに適する、請求項第５８項に記載の方法。
【請求項６０】
前記拘束装置が網目形状であって、前記装着工程が、
前記網目材を前記患者の大腿部と大腿幹部の少なくとも一方に取り付ける工程と、
該網目材を該患者の骨盤と寛骨臼陥凹組立体の少なくとも一方に取り付ける工程を含む、請求項第５８項に記載の方法。
【請求項６１】
前記拘束装置がウェブ形状であって、前記装着工程が、
前記ウェブ材を前記患者の大腿部と大腿幹部の少なくとも一方に取り付ける工程と、
該ウェブ材を該患者の骨盤と寛骨臼陥凹組立体の少なくとも一方に取り付ける工程を含む、請求項第５８項に記載の方法。
【請求項６２】
前記拘束装置が帯形状であって、前記装着工程が、
前記帯材を前記患者の大腿部と大腿幹部の少なくとも一方に取り付ける工程と、
該帯材を該患者の骨盤と寛骨臼陥凹組立体の少なくとも一方に取り付ける工程を含む、請求項第５８項に記載の方法。
【請求項６３】
前記拘束装置がペースト形状であって、前記装着工程が、ペースト材を患者の人工股関節の少なくとも一部分に塗布する工程を含む、請求項第５８項に記載の方法。
【請求項６４】
前記物質に、瘢痕組織の形成を促進する薬剤、凝固剤および抗菌剤の少なくとも１種を加える、請求項第６３項に記載の方法。
【請求項６５】
前記物質が、前記装着工程後に患者の体内に実質的に吸収されるのに適し、かつ、瘢痕組織により実質的に交換されるのに適する、請求項第６４項に記載の方法。
【請求項６６】
前記拘束装置が、再吸収性物質と非再吸収性物質のうちの少なくとも１種を含んだ浮嚢を具備する、請求項第５８項に記載の方法。
【請求項６７】
前記拘束装置が、凝固剤、抗生剤および瘢痕組織促進剤の少なくとも１種を含んだ浮嚢を具備する、請求項第６６項に記載の方法。
【請求項６８】
前記物質に、結合組織幹細胞と結合組織幹細胞前駆細胞の少なくとも一つが加えられている、請求項第５８項に記載の人工補装具拘束装置。
【請求項６９】
前記結合組織幹細胞と結合組織幹細胞前駆細胞が、繊維芽コロニー形成細胞、繊維性コロニー形成単位（ＣＦＵ−Ｆ）、骨髄間質性細胞、間葉幹細胞（ＭＳＣ）および血管周皮組織からなる群から選ばれる、請求項第６８項に記載の人工補装具拘束装置。
【請求項７０】
前記物質に、増殖刺激因子が加えられている、請求項第５８項に記載の人工補装具拘束装置。
【請求項７１】
前記増殖刺激因子が、増殖因子ベータ（ＧＦＢ−b）、塩基性繊維芽細胞増殖因子（ｂＦ
ＧＦ）、繊維芽細胞増殖因子（ＦＧＦ）、上皮増殖因子（ＥＦＧ）、トランスホーミング増殖因子−β１（ＴＧＦ−β１）、血管内皮増殖因子（ＶＥＧＦ）、結合組織増殖因子（ＣＴＧＦ）、血小板由来増殖因子（ＰＤＧＦ）、直接細胞遺伝子導入、繊維芽仲介遺伝子導入、筋芽仲介遺伝子導入、ＴＧＢ−b遺伝子ファミリー、アデノウイルス仲介遺伝子導
入、組み換えアデノウイルス誘導腱癒着形成、ＢＭＰ−１２、骨形成蛋白質−２遺伝子導入、増殖分化因子−５（ＧＤＦ−５）およびインスリン様増殖因子（ＩＦＧ）からなる群から選ばれる、請求項第７０項に記載の人工補装具拘束装置。
【請求項７２】
前記物質に、造血幹細胞と造血幹細胞前駆細胞のうちの少なくとも一つが加えられている、請求項第５８項に記載の人工補装具拘束装置。